(57)【特許請求の範囲】
【請求項１】
印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、
前記短辺部について、１つの短辺部側についてのみ、該短辺部より直立する固定壁部を設け、この固定壁部側に把持手段を設け、対向するもう１つの短辺部側については固定壁部を設けずに開放状態にしさらに、前記底板の上に重ねて、マスタ載置用の底部とこの底部の一端側であってマスタ送り出し方向での上流端で該底部から立ち上げた側部とにより略Ｌ字状をなす可動底板を設けると共に、この可動底板を当該排版収納箱の外部から前記長辺部に沿う方向に往復動させることのできる操作手段を設けたことを特徴とする印刷装置の排版収納箱。
【請求項２】
印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、
前記短辺部について、１つの短辺部側についてのみ、該短辺部より直立する固定壁部を設け、この固定壁部側に把持手段を設け、対向するもう１つの短辺部側については固定壁部を設けず、開放状態にし、
前記長辺部より直立して設けられた固定壁部に、マスタ送り込み用の対ローラを配置し、当該排版収納箱の上方部分については開放または密閉状に構成したことを特徴とする印刷装置の排版収納箱。
【請求項３】
印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、
前記排版収納箱は該排版収納箱へのマスタ送り込み方向と直交する方向を長手方向とする箱状体であり、この箱状体の前記長手方向上の前記短辺部より直立する固定壁部側に把持手段、他端側にマスタ排出口を設けたことを特徴とする印刷装置の排版収納箱。
【発明の詳細な説明】
【０００１】
【発明の属する技術分野】
本発明は、印刷装置の排版収納箱に関する。
【０００２】
【従来の技術】
印刷機から排出された使用済みのマスタを収納する排版収納箱であって、矩形の底板と当該マスタの落下領域を包囲するように前記底板の短辺部、長辺部より直立して設けられた固定壁部により、少なくとも上方が開放された箱状体を構成する排版収納箱が知られている。
【０００３】
例えば、図１９に示す孔版印刷装置３４は、原稿読み取り装置３４ａ、製版装置３４ｂ、印刷ドラム１、給紙装置３４ｃ、用紙送り装置３４ｄ、排版装置３４ｅなどを有する。排版装置３４ｅの一部として排版収納箱５が設けられている。排版収納箱５は排版に際し、自動排版の動作に入ると、図１６に示す如く、印刷ドラム１の回転の向きが印刷時と逆の矢印の向きに切り換えられる。印刷時において印刷ドラム１から離間している一対の排版搬送ベルト２、３のうち、排版搬送ベルト３が図中破線の位置から、実線で示すような印刷ドラム１に接する位置まで移動する。また、マスタ４の先端をくわえている原紙クランパ（図示せず）はマスタ４の先端を解放する。
【０００４】
排版搬送ベルト３は印刷ドラム１と接する部分が、印刷ドラム１と逆向きに回動している。これにより、マスタ４の後端は、この排版搬送ベルト３にすくい上げられるようにして、これら排版搬送ベルト２、３間に引き込まれ、印刷ドラム１から剥がされながら連続的に搬送され、両排版搬送ベルト２，３間を通って、排版収納箱５内に向けて排出される。
【０００５】
印刷ドラム１からマスタ４を剥離する手段としては、このほかに、印刷ドラム１の回転の向きを逆転しないで、原紙クランパがマスタの先端を解放することで、マスタ４の先端から剥離されるタイプ、排版収納箱と独立して設けられた一対の排版搬送ベルト２、３に代えて排版収納箱に排版搬送ローラを取り付けたタイプなどがあるが、何れにしても、排版収納箱にマスタ４は排出される。
【０００６】
排出されたマスタ４は、自然に折り曲げられて積層状に収納される。排版収納箱５の上方には、押圧手段６が設けられていて、排出されたマスタ４を適時に押圧して圧縮し、多くのマスタ４を収納するようにしている。
【０００７】
このようにして、排出されたマスタ４が排版収納箱５に一杯になったら、当該排版収納箱５をオペレーターが孔版印刷装置から取外し、内容物である使用済みのマスタ４だけをごみ箱に捨てて、該排版収納箱５は再び、孔版印刷装置に装着して使用に供される。
【０００８】
図１７に示すように排版収納箱５は、矩形の底板５−１と、マスタ４の落下領域を包囲するように底板５−１の短辺部より直立して立ち上げられた固定壁部５−２、５−３と、底板５−１の長辺部より直立して立ち上げられた固定壁部５−４，５−５により、上方部だけが開放された箱状体を構成している。固定壁部５−５には、把っ手５−６が設けられている。
【０００９】
排版収納箱５に収納されるマスタ４には、排版収納箱５への排出時の進行方向であるマスタ送り込み方向に直交する方向、つまり、印刷ドラム１の回転軸方向での寸法をＷ、排版収納箱５へのマスタ送り込み方向での寸法をＬとするとき、例えばＷ＞Ｌの関係がある。このため底板５−１は、Ｗ×Ｌの大きさに対応した大きさの矩形をしている。よって、排版収納箱５は該排版収納箱へのマスタ送り込み方向と直交する方向を長手方向とする箱状体である。
【００１０】
排版収納箱５の高さ寸法については、収納されるマスタ４の版数に応じた高さ寸法Ｈを基準にして定められている。因みに、Ａ３サイズ用のマスタの場合には、一例として、Ｗ＝３２０ｍｍ、Ｌ＝１２０ｍｍ、Ｈ＝１２０ｍｍとなっている。
【００１１】
排版収納箱５がマスタ４で一杯になると、排版収納箱５は孔版印刷装置から取り出され、マスタ４のみを廃棄し、排版収納箱５は再び孔版印刷装置に取付けられて使用に供される。
ここで、孔版印刷装置に対する排版収納箱５の取外し方向は、図１７〜図１９に符号３０で示す方向でこの方向３０は排版収納箱５へのマスタ４の送り込み方向と同じである。また、この方向３０は、オペレータが孔版印刷装置の操作部に向き合って立つとき、このオペレータにとっての左右方向に相当する。排版収納箱５の着脱操作に便利なように、排版収納箱５の固定壁部５−５には把っ手５−６が設けられている。図１８において、通常、排版収納箱５は保持用部材３１により取り出し方向を塞がれている。そこで、排版収納箱５を孔版印刷装置の外側へ取り出す際には、先ず、図１８において保持用部材３１を軸３２を支点として矢印３３で示すように方向３０に向けて開いた上で、この把っ手５−６を掴んで、排版収納箱５を孔版印刷装置の外側へ取り出す。この取り出し作業に先立ち、把っ手５−６を掴んで外部に取り出す。
【００１２】
このように、保持用部材３１の開きスペースを確保するため、及び、排版収納箱５の取り出し用のスペースを確保するため、図１９に示すように、孔版印刷装置３４に付帯して使用されるソータ３５は、孔版印刷装置３４から距離Ｋだけ離間した配置とされ、これら孔版印刷装置３４とソータ３５との組み合わせにより印刷装置システムが構成されている。
このように、従来の孔版印刷装置３４においては、排版収納箱５をマスタ４の送り込み方向と同じ矢印３０の方向、つまり、孔版印刷装置３４の操作部（正面側）に対面して立つオペレータにとっての左右方向（側面側）に引き出すようにしているので、孔版印刷装置３４から排版収納箱５を取り出す際には、孔版印刷装置３４の左方に左手を差し伸べ、体をねじるような体勢をとらなければならないし、排版収納箱５を矢印３０の方向に引き出すようにしているので、作業空間を確保するため、及び、保持用部材３１の動作空間を確保するため、ソータ３５と孔版印刷装置３４との間には距離Ｋの余裕が必要である。
次に、排版収納箱５を孔版印刷装置３４から取り出した後、マスタ４のみをごみ箱に廃棄する場合を考える。この場合、Ｗ×Ｌの寸法よりも大きな開口を有するごみ箱の場合には、排版収納箱５を反転して開放部を下にするだけで、内部のマスタ４が自重によりごみ箱に落下するので問題はないが、そのような大きな開口を有するごみ箱はまれであり、一般には、図２０に示すような、図１７におけるＬを一辺とするＬ×Ｌよりも少し大きい、Ｗ’を一辺とするＷ’×Ｗ’の正方形状の開口を有し、高さはＷよりも大きいという寸法関係を有する、入口の小さい符号７で示すようなごみ箱が殆どである。
【００１３】
このため、図２０に示すように、排版収納箱５を寸法Ｗ方向の任意の回転軸Ｏ−Ｏを中心に反転させて、内容物であるマスタ４を落下させると、マスタ４がごみ箱７の入口につかえてしまう、との問題がある。また、インクでマスタ４が排版収納箱５にへばりついていて、なかなか落下しないことがある。
これをさけるには、一旦、マスタ４を排版収納箱５から掴み出し、しかも寸法Ｗの向きが上下方向を向くようにしてからでないと、ごみ箱７内に捨てることができない。或いは、一旦マスタ４を排版収納箱５から掴み出し、寸法Ｗ方向上の適度の個所で折り曲げてからでないと、ごみ箱７に捨てることができない。
【００１４】
【発明が解決しようとする課題】
▲１▼排版収納箱５内に収納されているマスタ４は、インクで汚れていることから、これを掴み出す際にオペレーターの手が汚れてしまうので、それなりの対処が必要となって廃棄作業が煩雑となり、入口の小さい一般のごみ箱には、マスタを捨てることが困難な結果となっている。
▲２▼排版収納箱をマスタの送り込み方向と同じ方向、つまり、印刷装置の操作部に対面して立つオペレータにとっての左右方向に引き出すようにしているので、印刷装置から排版収納箱を取り出す際には、印刷装置の左方に左手を差し伸べ、体をねじるような体勢をとらなければならないため、体に無理な力が作用し、作業がやりにくい。
▲３▼排版収納箱をマスタの送り込み方向と同じ方向に引き出すようにしているのでこの引き出し用の作業空間を確保するため、及び、排版収納を保持するための保持用部材の動作空間を確保するため、一定の空間を必要とする。
【００１５】
本発明は、入口の小さい一般のごみ箱に対しても簡単にマスタの廃棄作業を行なうと共に、排版収納箱の交換時における操作性を向上することのできる印刷装置の排版収納箱を提供することを目的とする。
【００１６】
【課題を解決するための手段】
本発明は、前記目的を達成するため以下の構成とした。
（１）  印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、前記短辺部について、１つの短辺部側についてのみ、該短辺部より直立する固定壁部を設け、この固定壁部側に把持手段を設け、対向するもう１つの短辺部側については固定壁部を設けずに開放状態にしさらに、前記底板の上に重ねて、マスタ載置用の底部とこの底部の一端側であってマスタ送り出し方向での上流端で該底部から立ち上げた側部とにより略Ｌ字状をなす可動底板を設けると共に、この可動底板を当該排版収納箱の外部から前記長辺部に沿う方向に往復動させることのできる操作手段を設けた（請求項１）。
（２）  印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、前記短辺部について、１つの短辺部側についてのみ、該短辺部より直立する固定壁部を設け、この固定壁部側に把持手段を設け、対向するもう１つの短辺部側については固定壁部を設けず、開放状態にし、前記長辺部より直立して設けられた固定壁部に、マスタ送り込み用の対ローラを配置し、当該排版収納箱の上方部分については開放または密閉状に構成した（請求項２）。
（３）  印刷装置から排出された使用済みのマスタを収納し、一杯になったら当該排版収納箱を印刷装置から取り出してこの取り出された排版収納箱に収納されたマスタだけを廃棄することにより、繰り返し使用に供される排版収納箱であって、当該印刷装置から排出された使用済みのマスタの収納に際しての矩形の底板への当該マスタの落下領域を包囲するように前記底板の短辺部、長辺部より直立して設けられた固定壁部により、箱状体を構成する排版収納箱において、前記排版収納箱は該排版収納箱へのマスタ送り込み方向と直交する方向を長手方向とする箱状体であり、この箱状体の前記長手方向上の前記短辺部より直立する固定壁部側に把持手段、他端側にマスタ排出口を設けた（請求項３）。
【００２３】
【発明の実施の形態】
（一）第１の例
図１で説明する本例の排版収納箱５０のうち、図１７に示した従来の排版収納箱５と同じ構成部分については、同じ符号を付してある。排版収納箱５０はマスタの送り込み方向である矢印３０で示す方向と直交する方向を長手方向とする箱状体で構成されている。この排版収納箱５０の特徴は、図１７における排版収納箱５において底板５−１の対向する２つの短辺部よりそれぞれ直立して設けられていた固定壁部５−２、５−３のうち、固定壁部５−３に相当するものを無くしてマスタ排出口を設けたことと、把っ手５−６を、従来例を説明した図１７に示されるように固定壁部５−５ではなく、箱状体の長手方向上の一端側、つまり、底板５−１の短辺部より直立する固定壁部５−２に設けたことである。このことから、上記マスタ排出口は排版収納箱５の長手方向上であって、把っ手５−６が設けられた一端側に相対する他端側に位置することとなる。
このように、把っ手５−６を固定壁部５−２に設け、該排版収納箱５０の長手方向に引き出し可能とし、引き出し可能なように、孔版印刷装置の該排版収納箱の保持部を構成する。このようにすることで、オペレータは孔版印刷装置の操作部に対面した位置において、楽な姿勢で排版収納箱５０を手前、つまり、図１において、矢印３６の向きに引き出すだけで、孔版印刷装置から排版収納箱５０を取り出すことができる。
さらに、このように、矢印３６の向きに引き出すようにすれば、従来技術として説明した図１８に示すように保持部材３１を矢印３０の向きに開く必要がなくなり、よって、保持部材３１の開き空間を確保する必要もなくなるので、そのための空間が不要となる。また、従来、符号３０の方向に必要であった排版収納箱５の取り出し用の一定の空間も必要がなくなる。
従って、当該孔版印刷装置をこれが設置される部屋の壁に近接して配置しても、排版収納箱５０の操作性には問題がなく、よって、配置場所の自由度を広げることができると共に、スペース効率を高めることもできる。さらに、図１５に示すように、孔版印刷装置３４に対して、ソータ３５を密着して配置することが可能となり、孔版印刷装置の付帯装置との組合せによる印刷装置システムとしても所要スぺースを小さくすることができる。
【００２４】
また、排版収納箱５０には従来の固定壁部５−３が無く、開放状態になっているので、図２に示すように、把っ手５−６が設けられた固定壁部５−２を上にして該固定壁部５−２の反対の開放側が床１００上のごみ箱７の開口に向くように傾斜させることで、簡単にマスタ４をごみ箱７に落下させることができる。その際、マスタ４は縦長のごみ箱に適合した状態で落下するので、ごみ箱７内にスムーズに収納される。
【００２５】
（二）第２の例
マスタ４は、印刷ドラム側の面がインキまみれの状態になっており、また、マスタ４自身もインキを含んでいて腰がないので、排版収納箱内に収納されると、その底板にへばりついてしまうことが多い。
【００２６】
その場合には、排版収納箱５０を単に傾斜させただけでは、ごみ箱内にマスタが落下せず、排版収納箱５０内のマスタ４を直接押すか、或いは、排版収納箱５０を叩いて衝撃を与えるなどのことが必要となる。本例は、このような場合においても、スムーズにマスタ４をごみ箱に導くことのできる排版収納箱である。
【００２７】
本例にかかる、排版収納箱５１の断面を示した図３において、排版収納箱５１自体の基本構成は、図１に示した排版収納箱５０に準ずる。従って、底板５−１の短辺部側の一方の固定壁部が無く開放されている。異なるのは、底板５−１の中央部にその長手方向に沿うスリット５−７が形成されていることと、後述するように、可動底板５−１０を有することである。このスリット５−７には該スリット５−７に摺動自在に嵌合する軸５−８が嵌合されており、底板５−１を下向きに突き抜けた該軸５−８の一端部には、掴み部５−９が一体的に設けられている。
【００２８】
一方、軸５−８の他端部は、底板５−１の内表面より少し上方に出ており、底板５−１の長手方向の寸法よりも小さい底部５−１ａと固定壁部５−２よりもひとまわり小さい側部５−１ｂとからなる略Ｌ字状をした可動底板５−１０の前記底部５−１ａに、前記軸５−８の他端部は固定されている。
【００２９】
かかる構成により、可動底板５−１０は、掴み部５−９を掴んでスリット５−７に沿って往復動自在であり、底部５−１ａ上に収納されたマスタ４を開放側に押し出すことができる。つまり、排版収納箱５１に収納されるマスタの一部分は可動底板５−１０の底部５−１ａに載るが、可動底板５−１０の往復動時に、底部５−１ａの端面５−１ｃにより、底板５−１にへばりついているマスタを掻き出すことができる。
ここで、底部５−１ａ、側部５−１ｂは対向する固定壁部５−４、５−５間に嵌合した如き態様となっており、可動底板５−１０の移動に際しての移動方向を定める案内機能を果たしている。
【００３０】
なお、スリット５−７に対する軸５−８の嵌合部に関し、軸５−８の形状をスリット５−７の面に平行な面を有する角形とすれば、同様に、この軸部の嵌合が可動底板５−１０の移動に際しての案内移動方向を定める案内機能を果たすこととなる。
【００３１】
このように、可動底板５−１０を押し動かすことにより、マスタ４は、他の固定壁部５−４，５−５などからも解放され、自重による落下が容易になり、簡単にごみ箱内にマスタを送り出すことが可能となる。
【００３２】
ここで、スリット５−７、軸５−８、掴み部５−９は、可動底板５−１０を当該排版収納箱５１の外部から底板５−１の長辺部に沿う方向に往復動させるのに寄与する操作手段を構成する。
【００３３】
（三）第３の例
前記図３の例では、可動底板５−１０を往復動可能にするための操作手段を底板５−１側に設けていたが、図４に示すように本例における排版収納箱５２では固定壁部５−４側および固定壁部５−５側にそれぞれ設けている。つまり、操作手段を構成するスリット５−７’を固定壁部５−４に、また、スリット５−７’’を固定壁部５−５にそれぞれ設け、操作用の把っ手５−９’、５−９’’をこれらのスリットからそれぞれ突出させている。他の構成部分については、図３の例に準ずる。底面部５−１ａは、図４の例では、図３の例に比べて少し長いが、この長さは底板５−１上にへばりついてマスタ４を掻き出すヘラの機能を果たす範囲で任意に設定できる。
【００３４】
本例においても、操作手段を用いて可動底板５−１０を操作し、マスタの排出を促進することができる。前記第１の例、第２の例で、操作手段を底板側に設けるか、固定壁部側に設けるかは、レイアウト上の都合、操作性の好みなどに応じて適宜決定する。
（四）第４の例（参考例）
この例は、前記図３における変形例に相当する。図３においては略Ｌ字状の可動板５−１０を用いていたが、本例ではこれに代えて、図５に示すように底板５−１の上に該底板５−１に対し直立した状態を保持する板状部材からなる可動板５−１０’を設けている点に特徴がある。なお、この可動板５−１０’を当該排版収納箱５１’の外部から底板５−１の長辺部に沿う方向に往復動させる操作手段は前記図３において説明したものと共通であるので、同じ符号を付し説明を省略する。
（五）第５の例（参考例）
この例は、前記図４における変形例に相当する。図４においては略Ｌ字状の可動板５−１０を用いていたが、本例ではこれに代えて、図６に示すように底板５−１の上に該底板５−１に対し直立した状態を保持する板状部材からなる可動板５−１０’’を設けている点に特徴がある。なお、この可動板５−１０’’を当該排版収納箱５２’の外部から底板５−１の長辺部に沿う方向に往復動させる操作手段は前記図４において説明したものと共通であるので、同じ符号を付し説明を省略する。
【００３５】
（六）第６の例
図７で説明する本例の排版収納箱５３のうち、図１７に示した従来の排版収納箱５と同じ構成部分については、同じ符号を付してある。本例では、図１７に示した排版収納箱５において固定壁部５−２に対向して設けられていた固定壁部５−３を開閉自在の可動壁部にした点に特徴がある。
【００３６】
この可動壁部を符号５−３Ｄで示す。この可動壁部５−３Ｄの開閉支点ともいうべき排版収納箱５３に対する枢着軸の位置は、固定壁部５−３の４辺の位置に対応する何れの個所を選択することもできるが、この例では、底板５−１の短辺のうち、把っ手５−６が設けられた側と反対側の短辺の上方に設けた軸９を中心に回動自在としている。
【００３７】
可動壁部５−３Ｄは、排版収納箱５３が印刷機に装着された状態のもとでは、自重モーメントにより、鉛直方向を向いて排版収納箱５３の開放端を閉じ状態におく。マスタ４をごみ箱に捨てるに際して可動壁部５−３Ｄが下になるように傾けると、自重モーメントにより可動壁部５−３Ｄは開き、マスタ４がごみ箱に排出される。なお、可動壁部は、本例のように片開き式に限らず、両開き式とすることもできる。
【００３８】
このように、可動壁部５−３Ｄは、ごみ箱に捨てるときのみ開放され、そのほかのときには閉じているので、外部から誤ってマスタ４に触れて衣服を汚すなどのことがない。
（七）第７の例
本例にかかる排版収納箱を図８に符号５３’で示す。この例は、図７で説明した排版収納箱５３の変形例に相当する。この例における排版収納箱５３’が図７に示した排版収納箱５３と異なるのは、上方が天板２０で塞がれていること、固定壁部５−４に使用済みマスタを送り込むための開口３７を形成している点である。このように本発明は、排版収納箱への使用済みマスタの送りこまれ方により、上方が塞がれた密閉状であってもよく、上方が開放されたものに限定されるものではない。
また、本例のように排版収納箱の上方が塞がれた密閉状の箱状体である場合の、図１６で説明した、排出されたマスタ４を適時に押圧して圧縮する機能を有する押圧手段６に相当する構成は、排版収納箱の天板の下側に配置され、排版収納箱の外部から圧縮動作が操作できるようになっていればよい。その詳細は本発明とは直接関係ないので説明を省略する。
【００３９】
（八）第８の例
本例は、前記図７で説明した可動壁部の変形例に属する。つまり、前記図７で説明した例では、可動壁部は自重のモーメントにより開閉したのに対し、本例では、可動壁部が開き習性を有するように構成し、この開き習性による可動壁部の開動作をストッパで阻止しておき、収納されたマスタを捨てるときにはこのストッパによる前記回動の阻止を解除することで、可動壁部を開く。閉じるのは手動動作による。
【００４０】
具体例を図９〜図１１に示す。可動壁部５−３Ｅは、固定壁部５−５の端部を基端部として回動自在に設けられている。符号９、９’は、この回動のための枢軸を示し、当該排版収納箱５４に植設されている。これら枢軸９、９’のうち枢軸９には、図９、図１０に示すように、ねじりコイルばね１０が巻かれていて、その一端側は可動壁部５−３Ｅに固定され、他端側は枢軸９に固定されていて、このねじりコイルばね１０により、可動壁部５−３Ｅは、開き習性を有している。
【００４１】
この開き習性による可動壁部５−３Ｅの閉状態における開動作を阻止するため、図１１に明確に示すように固定壁部５−４の端部には爪状をした揺動自在のストッパ１１を設けている。このストッパ１１は、固定壁部５−４に設けた支持部材１２に枢着されて揺動自在となっている。この揺動支点の反対側は固定壁部５−４との間で伸張性のばね１３により可動壁部５−３Ｅの自由端部を押える向きに回動するよう付勢されている。
【００４２】
さらに、ストッパ１１について、その揺動支点の反対側には突起が形成されていて、この突起にはワイヤ１４が取付けられている。このワイヤ１４は、途中、緊縮性のばね１５を連結しており、該ワイヤ１４の他端側は、受け部１６、１７を介してから、固定壁部５−２に設けられた把っ手１８の引き金１８ａに取付けられている。ここで、ばね１５を引くとき、ばね１３は撓められる関係になるように、各ばね定数を設定してある。ばね１５は、ワイヤ１４のゆるみを吸収する働きを有する。
【００４３】
よって、ストッパ１１が可動壁部５−３Ｅの自由端部を保持した状態のもとで、引き金１８ａを引けば、ストッパ１１は可動壁部５−３Ｅを解除する方向に揺動させられ、可動壁部５−３Ｅの開動作の阻止を解除する。これにより、可動壁部５−３Ｅを開き、当該排版収納箱５４に収納されたマスタを可動壁部５−３Ｅ側に設けた開口部よりごみ箱に廃棄することができる。
【００４４】
廃棄が終了したら、引き金１８ａを引いた状態で、可動壁部５−３Ｅを閉状態に戻し、引き金１８ａを引くのを止めれば、ストッパ１１が機能状態になり、可動壁部５−３Ｅの閉じ状態が保持されるようになる。
【００４５】
以上により、ワイヤ１４、ばね１５、引き金１８ａなどは、ストッパ１１による可動壁部５−３Ｅの開動作の阻止を解除するストッパ解除手段の主要な部材を構成する。本例では、可動壁部５−３Ｅの閉状態、開状態の確保が確実になされる点に特徴がある。
【００４６】
（九）第９の例
本例は、前記図９〜図１１で説明したのとは逆に、可動壁部が閉じ習性を有し、この閉じ習性による前記可動壁部の閉状態を開状態に変化させる開操作手段を設けたものである。
【００４７】
本例にかかる排版収納箱５５の縦断面を示した図１２において、可動壁部５−３Ｆはその基端部を底板５−１の端部に設けた枢軸９−１に枢着されており、また、前記図１０に即して説明した構成に準じて構成されたねじりコイルばねの構成により閉じ習性を与えられている。
【００４８】
可動壁部５−３Ｆの枢軸９−１の反対側の部位にはワイヤ１４’の一端側が取付けられている。このワイヤ１４’の途中は緊縮性のばね１５’が連結されていて、このワイヤ１４’の他端側は、把っ手１８’に一端側を枢着された引き金１８ａ’の自由端側に取付けられている。また、この引き金１８ａ’は、緊縮性のばね１９の働きにより、底板５−１の端部に当接して状態を一定に保持している。可動壁部５−３Ｆの閉じ習性による閉じ動作は、自由端側が固定壁部５−４、５−５の端部に当接することにより阻止されている。
【００４９】
引き金１８ａ’に外力が作用しない状態のもとでは、可動壁部５−３Ｆが閉じ状態を保持している。引き金１８ａ’を引くと、ワイヤ１４’に引かれて、可動壁部５−３Ｆが開く。よって、本例では、ワイヤ１４’、引き金１８ａ’などが、可動壁部５−３Ｆの閉じ状態を開状態に変化させる開操作手段の主要部材を構成する。本例では、可動壁部５−３Ｆの閉状態、開状態の確保が確実になされる点に特徴がある。
【００５０】
（十）第１０の例
本例は、前記した図４における構成と、図７、図９〜図１１あるいは図１２における構成とを組み合わせたものに相当する。従って、図１３に示した排版収納箱５６の構成において、可動底板５−１０にかかる構成については、図４において既に説明した内容と同様であるので説明を省略する。
【００５１】
また、可動壁部５−３Ｅ’については、図９において既に説明した可動壁部５−３Ｅの構成に準じて設けられている。この可動壁部５−３Ｅ’の開閉は、自重による開閉自在の構成とすることもできるし、図１２における可動壁部５−３Ｆと同様にねじりコイルばねにより閉じ方向に付勢しておき、開操作手段と組み合わせることもできる。
【００５２】
本例においては、可動壁部５−３Ｅ’により、当該排版収納箱５６を印刷装置に装着した状態のもとでは、収納されたマスタが外界物に触れることが阻止されるし、廃棄するに際して傾けたときにはマスタの落下を妨げない。かつ、可動底板５−１０によりマスタの落下を容易にすることができる。
【００５３】
（十一）第１１の例
以上説明した各例における排版収納箱は、図１６に示したように、印刷ドラム１と排版収納箱５との間に設けられた排版給送ベルト２、３を介して送られてくるマスタを収納するものであった。
【００５４】
このタイプでは、「印刷ドラムからのマスタの剥がし工程」→「搬送工程」→「排版収納箱への収納工程」の段階を踏むが、「搬送工程」は本来、不要な工程であり、また、印刷装置のオペレータ操作側である正面側ではなく、側面側から排版収納箱５を交換しなければならず、操作上の不便を伴うことがあった。さらに、収納マスタの上限レベルが排版搬送ベルト３の上面までに限られてしまう、などのいくつかの問題があった。
【００５５】
これらの問題を解決する手段として、排版収納箱自体に一対の剥がしローラを設け、この剥がしローラを印刷ドラムに近接配置して、印刷ドラムから剥がされたマスタを直接、排版収納箱に導く技術が提案されている。このタイプの排版収納箱においては、剥がしローラから直接、マスタを受け入れるのであるから、上方は必ずしも開放である必要はなく、密閉状に構成することができる。
【００５６】
前記（一）〜（十）までの説明における排版収納箱の要部構成は、一対の剥がしローラを設けた構成の排版収納箱に対して適用することができる。図１４はその一例を示したもので、この排版収納箱５７は前記図８と前記図９〜図１１における構成とを組み合わせたものに相当する。つまり、固定壁部５−４に使用済みマスタを送り込むための開口３７を形成し、そこに一対の剥がしローラ１００を設けた点、および、上方を天板２０’で塞いだこと、以外は排版収納箱５４と同じである。
【００５７】
【発明の効果】
本発明によれば、入口の小さい一般のごみ箱に対しても簡単にマスタの廃棄作業を行なうと共に、排版収納箱の交換時における操作性を向上することのできる印刷装置の排版収納箱を提供することができる。
【図面の簡単な説明】
【図１】排版収納箱の外観斜視図である。
【図２】排版収納箱からごみ箱にマスタを廃棄している状態を説明した図である。
【図３】排版収納箱の断面図である。
【図４】排版収納箱の外観斜視図である。
【図５】排版収納箱の外観斜視図である。
【図６】排版収納箱の断面図である。
【図７】排版収納箱の外観斜視図である。
【図８】排版収納箱の外観斜視図である。
【図９】排版収納箱の可動壁部を説明した部分外観斜視図である。
【図１０】排版収納箱の側面図（可動壁部側から見た図）である。
【図１１】排版収納箱の平面図（天板側から見た図）である。
【図１２】排版収納箱の縦断面図である。
【図１３】排版収納箱の外観斜視図である。
【図１４】排版収納箱の部分外観斜視図である。
【図１５】印刷装置とソータとを組み合わせた印刷装置システムの正面図である。
【図１６】従来技術にかかる排版収納箱の配置状態を説明した図である。
【図１７】従来技術にかかる排版収納箱および収納されるマスタの寸法関係を説明した図である。
【図１８】従来技術にかかる排版収納箱の取外しの態様を説明した図である。
【図１９】従来技術にかかる印刷装置とソータとを組み合わせた印刷装置システムの正面図である。
【図２０】マスタ廃棄に際しての排版収納箱とごみ箱との位置関係を説明した斜視図である。
【符号の説明】
５０      排版収納箱
５１      排版収納箱
５１’    排版収納箱
５２      排版収納箱
５２’    排版収納箱
５３      排版収納箱
５３’    排版収納箱
５４      排版収納箱
５５      排版収納箱
５６      排版収納箱
５７      排版収納箱
【図１】
0003744599.tif 000002
【図２】
0003744599.tif 000003
【図３】
0003744599.tif 000004
【図４】
0003744599.tif 000005
【図５】
0003744599.tif 000006
【図６】
0003744599.tif 000007
【図７】
0003744599.tif 000008
【図８】
0003744599.tif 000009
【図９】
0003744599.tif 000010
【図１０】
0003744599.tif 000011
【図１１】
0003744599.tif 000012
【図１２】
0003744599.tif 000013
【図１３】
0003744599.tif 000014
【図１４】
0003744599.tif 000015
【図１５】
0003744599.tif 000016
【図１６】
0003744599.tif 000017
【図１７】
0003744599.tif 000018
【図１８】
0003744599.tif 000019
【図１９】
0003744599.tif 000020
【図２０】
0003744599.tif 000021